(57)【要約】【課題】端子同士をボルト・ナットで締結する電気接続部に被せる保護カバーにおいて、その基部とキャップ部とのロック結合が確実に行えるようにする。【解決手段】絶縁樹脂製の端子保護カバーであって、前記端子台の外周に配置される円環状の周壁を備えた基部と、前記基部の周壁の一部と薄肉ヒンジを介して連結され、前記電気接続部を覆うように被せるキャップ部とからなり、前記基部の周壁とキャップ部の周壁との間に互いにロックするロック部と被ロック部を備え、前記基部の周壁内周面の前記ロック部を設けた位置を挟む領域にリブを突設し、該リブは前記端子と接触する位置までは突出させていないと共に前記端子台の外周縁に当接係止できる位置まで突出させており、前記キャップ部とのロック時に前記リブを端子台で支持する。【選択図】図２
2007328966.tif 000002
【特許請求の範囲】
【請求項１】
絶縁樹脂製の円形の端子台上に中心からボルト軸部を突出させた端子が固定され、前記ボルト軸部が相手方の穴付き端子の穴に通されてナットで締結固定されている電気接続部を保護する絶縁樹脂製の端子保護カバーであって、
前記端子台の外周に配置される円環状の周壁を備えた基部と、
前記基部の周壁の一部と薄肉ヒンジを介して連結され、前記電気接続部を覆うように被せるキャップ部とからなり、
前記基部の周壁とキャップ部の周壁との間に互いにロックするロック部と被ロック部を備え、
前記基部の周壁内周面の前記ロック部を設けた位置に挟まれる領域にリブを突設し、該リブは前記端子と接触しない位置で前記端子台の外周縁に当接係止できる位置まで突出させており、前記キャップ部とのロック時に前記リブを端子台で支持する構成としていることを特徴とする保護カバー。
【請求項２】
前記端子台上に固定する端子は、ＤＣ/ＤＣコンバータのケースの一端面に設けられた端子台上に固定される端子からなり、該端子の中心から突出するボルト軸部は電源ポストからなる一方、
前記穴付き端子は、絶縁樹脂製のケース内に収容したバスバーの先端を、該ケースより屈折させて突出させたものであり、
前記キャップ部および基部は、前記バスバーのケースの一端側に屈折させて一体成形で設け、前記基部の内部に前記穴付き端子を収容している請求項１に記載の保護カバー。
【発明の詳細な説明】
【技術分野】
【０００１】
本発明は保護カバーに関し、詳しくは、端子同士をボルトとナットで電気接続する部分に被せる基部とキャップ部とからなる保護カバーにおいて、キャップ部を閉鎖する際に基部にロック結合するものである。
【背景技術】
【０００２】
従来、電気接続箱内のバスバーと電源線端末に接続された端子との接続は、電気接続箱の上面に配置した前記バスバーを通してボルト軸を突設する一方、前記端子を穴付き端子とし、該端子の穴にボルト軸に上方から通した後、ナットを締結して電気接続している。この電気接続部は電気接続箱の上面に露出するため、特開２００６−６０８７７号公報に開示しているように、保護カバーを被せている。
【０００３】
具体的には、図６（Ａ）（Ｂ）に示すように、電気接続箱１の上面１ａにバスバー接続部２を配置し、該バスバー接続部２よりボルト軸２ａを上向きに突設している一方、端末に穴付き端子３を接続した電源線４を挿通する保護材５を設け、該保護材５の先端部分に端子３を囲む基部６ａとキャップ部６ｂとからなる保護カバー６を一体的に設けている。
前記保護カバー６は、基部６ａを電気接続部のボルト軸２ａの外周位置に配置し、該ボルト軸２ａにナットＮを締結した後に、キャップ部６ｂを基部６ａに被せて、該基部６ａのロック部６ａ−１にキャップ部６ｂのロック部６ｂ−１をロック結合している。
【０００４】
【特許文献１】特開２００６−６０８７７号公報
【発明の開示】
【発明が解決しようとする課題】
【０００５】
前記保護カバー６の基部６ａの周壁下面が電気接続箱１の上面１ａにしっかりと当接させることができる場合、該基部６ａのロック部６ａ−１にキャップ部６ｂのロック部６ｂ−１を嵌合するロック作業時に、基部６ａ側のロック部６ａ−１の逃げを防止して確実にロックすることができる。
しかしながら、保護カバー６は電源線および端子３の保護ガイド部分５ａの先端に一体的に成形し、該保護ガイド部分５ａを電気接続箱１の外面に沿わせるため、電気接続箱１の上面１ａから浮き上がる場合が生じる。この場合には、基部６ａが周壁下面が支持されていない状態となるため、キャップ部６ｂとのロック結合時に基部６ａに逃げ発生して半嵌合になる恐れがある。
【０００６】
また、図７に示すような、円筒ケース７の一端面の中心よりボルト軸８を突出させた端子９を固定し、前記ボルト軸８を電源線端末の丸穴付き端子３’の穴に通してナットＮで締結した後、該電気接続部を保護カバー６’で保護する場合もある。
この場合、保護カバー６’の環状の基部６ａ’はケース７の外周面に遊嵌され、該基部６ａ’に対してキャップ部６ｂ’を被せ、基部６ａ’のロック爪６ａ’−１をキャップ部６ｂ’の係止溝６ｂ’−１に係止してロックすることになるが、ロック爪６ａ’−１がケース７の外周面と基部６ａ’との隙間Ｃに逃げて、半嵌合状態になり、保護カバーの装着性が悪くなる問題がある。
【０００７】
本発明は前記問題に鑑みてなされたもので、端子保護カバーの基部が安定支持されにくい場合においても、確実に支持されるようにし、キャップ部が基部に被せられてロック結合する際に、基部の逃げを無くして半嵌合状態とならず、確実にロックできるようにすることを課題としている。
【課題を解決するための手段】
【０００８】
前記課題を解決するため、本発明は、絶縁樹脂製の円形の端子台上に中心からボルト軸部を突出させた端子が固定され、前記ボルト軸部が相手方の穴付き端子の穴に通されてナットで締結固定されている電気接続部を保護する絶縁樹脂製の端子保護カバーであって、
前記端子台の外周に配置される円環状の周壁を備えた基部と、
前記基部の周壁の一部と薄肉ヒンジを介して連結され、前記電気接続部を覆うように被せるキャップ部とからなり、
前記基部の周壁とキャップ部の周壁との間に互いにロックするロック部と被ロック部を備え、
前記基部の周壁内周面の前記ロック部を設けた位置に挟まれる領域にリブを突設し、該リブは前記端子と接触しない位置で前記端子台の外周縁に当接係止できる位置まで突出させており、前記キャップ部とのロック時に前記リブを端子台で支持する構成としていることを特徴とする保護カバーを提供している。
【０００９】
前記のように、保護カバーの基部の円環状の周壁内面より端子台の外周縁に当接できるリブを突設しておくと、基部を端子台で支持でき、該基部とキャップ部とをロック結合する際に、基部側のロック部に逃げを発生させず、確実にロック結合することができる。
【００１０】
特に、前記端子台上に固定する端子が、ＤＣ/ＤＣコンバータのケースの一端面に設けられた端子台上に固定される端子からなり、該端子の中心から突出するボルト軸部は電源ポストからなる一方、
前記穴付き端子が、絶縁樹脂製のケース内に収容したバスバーの先端を、該ケースより屈折させて突出させたものであり、
前記キャップ部および基部は、前記バスバーのケースの一端側に屈折させて一体成形で設け、前記基部の内部に前記穴付き端子を収容している場合に、本発明の保護キャップは好適に用いられる。
即ち、ＤＣ/ＤＣコンバータの端子と電源回路の端子とボルト締めで電気接続する場合、該電気接続部を保護カバーで覆う必要があるため、本発明の保護カバーを好適に用いることができる。
【発明の効果】
【００１１】
上述したように、本発明の保護カバーによれば、薄肉ヒンジ部を介して連結した基部とキャップ部とのロック結合時に、基部に設けたリブを端子台に当接できるようにしているため、該基部とキャップ部とをロック結合する際に、基部側のロック部に逃げを発生させず、確実にロック結合することができる。
【発明を実施するための最良の形態】
【００１２】
以下、本発明の実施形態を図面を参照して詳述する。
本実施形態は、図１に示すように、ハイブリッド車に搭載するＤＣ/ＤＣコンバータ１０の端子から突設したボルト軸と、電源用バスバーの先端に形成した丸穴付き端子とをボルト・ナットとの締結で電気接続し、該電気接続部を前記電源用バスバーを収容した樹脂製ケース１５の先端に一体的に設けた保護カバー２０で覆って保護しているものである。
【００１３】
前記ＤＣ/ＤＣコンバータ１０は横置きされ、図２に示すように、図中右端面には円盤状の樹脂製の端子台１１を設け、該端子台１１の中央部に端子１２を固定し、該端子１２の中心からボルト軸（電源ポスト）１３を突設させている。
【００１４】
図３および図４に示すように、電源回路用バスバー１４は細長い形状で、絶縁樹脂製のケース１５に収容し、その一端側から丸穴付きの電源側端子１６を屈折させて突設している。該電源側端子１６は前記ＤＣ/ＤＣコンバータ１０側のボルト軸１３を挿通する穴１６ａを備え、該穴１６ａにボルト軸１３を挿通した状態でナットＮをネジ締め固定して電気接続されるものである。
【００１５】
前記電気接続部を保護するため、ケース１５の一端から保護カバー２０を突設している。該保護カバー２０は基部２１とキャップ部２２とを薄肉ヒンジ部２３を介して開閉自在に連結した構成とし、基部２１を前記ケース１５の先端から側方に突設しており、基部２１の内部に前記電源側端子１６を収容している。
【００１６】
前記キャップ部２２は円環形状の周壁２２ａと、該周壁２２ａの一端側に連続したドーム状の閉鎖部２２ｃとからなり、周壁２２ａの一部を前記薄肉ヒンジ部２３を介して前記基部２１の円環形状の周壁２１ａの一部と連結している。該薄肉ヒンジ部２３による連結部と対向する位置の周壁２２ａにはロック枠２２ｂを設けている。
一方、基部２１の周壁２１ａには、前記ロック枠２２ｂと対向する位置にロック爪２１ｂを設け、キャップ部２２を薄肉ヒンジ部２３を支点として回転させて基部２１に被せた時に、ロック爪２１ｂをロック枠２２ｂに挿入係止してロック結合する構成としている。
【００１７】
前記基部２１には、図２に示すように、ロック爪２１ｂを突設した側の周壁２１ａの半周側内面から、略半周状としたリブ２１ｃを突設している。該リブ２１ｃは内部に収容している電源側端子１６とは接触しない位置までとしている。かつ、電源側端子１６の穴１６ａにＤＣ/ＤＣコンバータ１０側のボルト軸１３を通して端子１２と電源側端子１６とを重ね合わせて状態で、基部２１の周壁２１ａは図５に示すように、端子台１１の外周に隙間をあけて位置し、前記リブ２１ｃが端子台１１の外周縁上に当接されるようにしている。なお、前記リブ２１ｃには肉抜き部２１ｃ−１を設けているが、該肉抜き部は設けなくとも良い。
【００１８】
前記構成において、図５に示すように、端子１２と１６とを重ね合わせ、これら端子１２と１６より突出するボルト軸１３にナットＮを締結して電気接続した後に、保護カバー２０のキャップ部２２を回転させて被せ、該キャップ部２２の周壁２２ａを基部２１の周壁２１ａに外嵌する。この外嵌作業時に、基部２１の周壁２１ａのロック爪２１ｂがキャップ部２２の周壁２２ａのロック枠２２ｂに挿入係止してキャップ部２２は基部２１とロック結合される。
【００１９】
前記ロック結合時に、基部２１のリブ２１ｃが端子台１１に当接して強固に支持されているため、キャップ部２２のロック枠２２ｂをロック爪２１ｂに対して押し込んでいっても、ロック爪２１ｂは逃げることがなく、ロック結合が確実になされ、半嵌合となることを防止できる。
【００２０】
このように、保護カバー２０の基部２１に対するキャップ部２２のロック結合時に、基部２１にリブ２１ｃを設けているだけで、ロック結合を確実に行うことができ、嵌合時の装着性を向上させることができる。
【図面の簡単な説明】
【００２１】
【図１】本発明の実施形態を示す斜視図である。
【図２】図１は保護カバーの基部とＤＣ/ＤＣコンバータ側の端子台との関係を示す図面である。
【図３】保護カバーを設けると共に電源用バスバーを収容したケースの斜視図である。
【図４】前記ケースの正面図である。
【図５】保護カバーを端子台にセットした状態の断面図である。
【図６】（Ａ）（Ｂ）は従来例を示す図面である。
【図７】他の従来例を示す図面である。
【符号の説明】
【００２２】
１０  ＤＣ/ＤＣコンバータ
１１  端子台
１２  端子
１３  ボルト軸
１４  電源回路用バスバー
１５  ケース
１６  電源側端子（穴付き端子）
２０  保護カバー
２１  基部
２１ａ  周壁
２１ｂ  ロック爪  
２１ｃ  リブ
２２  キャップ部
２２ａ  周壁
２２ｂ  ロック枠
Ｎ    ナット
【図１】
2007328966.tif 000003
【図２】
2007328966.tif 000004
【図３】
2007328966.tif 000005
【図４】
2007328966.tif 000006
【図５】
2007328966.tif 000007
【図６】
2007328966.tif 000008
【図７】
2007328966.tif 000009